(57)【特許請求の範囲】
【請求項１】
本体ケースと、便座あるいは便蓋を回動自在に軸支するシャフトと、前記便座あるいは便蓋を開閉可能に駆動する駆動手段を収納した自動開閉装置とを備え、
緩衝部材を前記自動開閉装置の表面に固着し、該緩衝部材が固着された自動開閉装置を前記本体ケースに組み付けたことを特徴とする便器装置。
【請求項２】
前記本体ケースあるいは前記自動開閉装置のどちらか一方に、前記緩衝部材が固着された自動開閉装置を前記本体ケースに組み付ける係合突起を設け、前記本体ケースあるいは前記自動開閉装置の他方に、前記係合突起と係合する係合穴が配設されていることを特徴とする請求項１に記載の便器装置。
【請求項３】
前記係合突起と前記係合穴はそれぞれ２個有することを特徴とする請求項２に記載の便器装置。
【請求項４】
前記係合突起は爪部と略Ｌ字状の弾性部材から構成されていることを特徴とする請求項２あるいは３に記載の便器装置。
【請求項５】
前記本体ケースは便座あるいは便蓋を軸支する上ケースと、便槽上に載置される下ケースとから構成され、前記緩衝部材が固着された自動開閉装置は前記上ケースに配設されていることを特徴とする請求項１から４のいずれか一項に記載の便器装置。
【請求項６】
前記緩衝部材が固着された自動開閉装置および該自動開閉装置と配線により接続される制御手段を前記上ケースに配設し、前記制御手段により前記便座あるいは便蓋を開閉させることを特徴とする請求項５に記載の便器装置。
【発明の詳細な説明】
【０００１】
【発明の属する技術分野】
本発明は、便座および便蓋を自動的に開閉する自動開閉装置を備えた便器装置に関する。
【０００２】
【従来の技術】
従来より、特公平５−３４９６９号公報に示すように、モータを利用して自動的に便座あるいは便蓋を開閉させるモータ及びギヤ等を収納した自動開閉装置を備えた便器装置があった。この便器装置の自動開閉装置は、便器装置の本体ケースにネジ等の固定手段で固定されていた
【０００３】
【発明が解決しようとする課題】
しかしながら、上記便器装置は自動開閉装置内に収納されたモータやギヤの回転音、及びそれらの振動が自動開閉装置のケースから装置本体ケース固定部を介して本体ケースに伝達され、本体ケースの外部に異音や振動が漏れてしまったり、使用者に不快感を感じさせるという問題点があった。
【０００４】
また使用者が便座に座るとその応力が便座を軸支するシャフトを介して自動開閉装置に加わり、自動開閉装置と本体ケースとの固定部分が破損したり、最悪の場合、自動開閉装置自体が破損するというおそれがあった。
【０００５】
本発明は上記課題を解決したもので、自動開閉装置に収納されているモータやギヤの回転音を装置本体の外へ出さない防音効果を有し、モータやギヤの振動を本体ケースに伝達しない防振効果を有し、駆動時の衝撃荷重を吸収する緩衝効果及びワンタッチで自動開閉装置を組み付けることが可能な便器装置を提供するものである。
【０００６】
【課題を解決するための手段】
上記技術的課題を解決するために、本発明の請求項１において講じた技術的手段（以下、第１の技術的手段と称する。）は、本体ケースと、便座あるいは便蓋を回動自在に軸支するシャフトと、前記便座あるいは便蓋を開閉可能に駆動する駆動手段を収納した自動開閉装置とを備え、緩衝部材を前記自動開閉装置の表面に固着し、該緩衝部材が固着された自動開閉装置を前記本体ケースに組み付けたことを特徴とする便器装置である。
【０００７】
上記第１の技術的手段による効果は、以下のようである。
【０００８】
即ち、自動開閉装置に収納されているモータやギヤの回転音を装置本体の外へ出さない防音効果を有し、モータやギヤの振動を本体ケースに伝達しない防振効果を有する。
【０００９】
上記技術的課題を解決するために、本発明の請求項２において講じた技術的手段（以下、第２の技術的手段と称する。）は、前記本体ケースあるいは前記自動開閉装置のどちらか一方に、前記緩衝部材が固着された自動開閉装置を前記本体ケースに組み付ける係合突起を設け、前記本体ケースあるいは前記自動開閉装置の他方に、前記係合突起と係合する係合穴が配設されていることを特徴とする便器装置である。
【００１０】
上記第２の技術的手段による効果は、以下のようである。
【００１１】
即ち、使用者の便座に座った時に生じる衝撃荷重を吸収することができ、自動開閉装置をケースにワンタッチで組み付けることが可能である。
【００１２】
上記技術的課題を解決するために、本発明の請求項３において講じた技術的手段（以下、第３の技術的手段と称する。）は、前記係合突起と前記係合穴はそれぞれ２個有することを特徴とする請求項２に記載の便器装置である。
【００１３】
上記第３の技術的手段による効果は、以下のようである。
【００１６】
上記第４の技術的手段による効果は、以下のようである。
【００１７】
即ち、２個以上の係合突起と係合穴が配設されているため、自動開閉装置と本体ケースとの係合作用が確実となる。
【００１８】
上記技術的課題を解決するために、本発明の請求項４において講じた技術的手段（以下、第４の技術的手段と称する。）は、前記本体ケースは便座あるいは便蓋を軸支する上ケースと、便槽上に載置される下ケースとから構成され、前記緩衝部材が固着された自動開閉装置は前記上ケースに配設されていることを特徴とする請求項１から４のいずれか一項に記載の便器装置である。
【００１９】
上記第５の技術的手段による効果は、以下のようである。
【００２０】
即ち、略Ｌ字状の弾性部材の弾性作用により、自動開閉装置の係合突起の爪部が本体ケースにワンタッチで、容易に係合穴に係合することができる。
【００２１】
上記技術的課題を解決するために、本発明の請求項５において講じた技術的手段（以下、第５の技術的手段と称する。）は、前記本体ケースは便座あるいは便蓋を軸支する上ケースと、便槽上に載置される下ケースとから構成され、前記緩衝部材が固着された自動開閉装置は前記上ケースに配設されていることを特徴とする請求項１から４のいずれか一項に記載の便器装置である。
【００２２】
上記第６の技術的手段による効果は、以下のようである。
【００２３】
即ち、予め自動開閉手段が上ケースに配設されているため、上方から上ケースを下ケースに簡単に組み付けることができ、上ケースを取外すのみでメンテナンスも簡単である。
【００２４】
上記技術的課題を解決するために、本発明の請求項６において講じた技術的手段（以下、第６の技術的手段と称する。）は、前記緩衝部材が固着された自動開閉装置および該自動開閉装置と配線により接続される制御手段を前記上ケースに配設し、前記制御手段により前記便座あるいは便蓋を開閉させることを特徴とする請求項５に記載の便器装置である。
【００２５】
上記第７の技術的手段による効果は、以下のようである。
【００２６】
即ち、上ケースに組み付けられているスイッチパネルに対応するＬＥＤ、スイッチ、及び各電子部品の制御回路等が配設されたスイッチ基板からの配線を短くすることができる。また上ケースに配設することが望ましい人体検知センサや便座への着座センサと共に入力信号をまとめて処理し、自動開閉制御するため、本体制御基板との配線が少なくなる。また上ケースと下ケースとの間には配線が交差されないので、上ケースと下ケースとの噛みこみが防止できる。
【００２７】
【発明の実施の形態】
以下、本発明の実施例について、図面に基づいて説明する。
【００２８】
本例の人体局部洗浄装置１は、図１に示すごとく、主に、温水洗浄手段６と温風乾燥手段とを有する本体ケース１０と、本体ケース１０上に設けた本体スイッチパネル２とよりなる。また本体ケース１０は上ケース１０Ａと下ケース１０Ｂとからなり、この上ケース１０Ａと下ケース１０Ｂとの間に種々の電気装置、温水洗浄手段６と温風乾燥手段等が収められている。
【００２９】
上記各手段は本体スイッチパネル２により操作できるように構成してある。上記本体１０は、洗浄ノズル６１、６２等よりなる温水洗浄手段６、温風乾燥手段（図示略）を有している。また本体１０ケースは、便座８１、便蓋８２を備え、陶器製便器８３の上方に配置してある。便蓋と便座の裏側にはゴムからなる緩衝部材Ｇが数個配設されている。
【００３０】
また、本体ケース１０の側部上面には、上記本体スイッチパネル２を配置してある。
【００３１】
本体スイッチパネル２は、肛門洗浄、ビデ洗浄、温風乾燥等の作動をストップさせるストップボタン２０、肛門洗浄用操作ボタン２１、ソフトな洗浄が可能なソフト肛門洗浄用操作ボタン２９、ビデ洗浄用操作ボタン２２、温風を吹き出させるドライボタン２３が配設されている。
【００３２】
また、便座の温度の高さを調整するための便座ボタン３０、シャワー等の水温を調整する温水ボタン３１が配置されている。さらに、図示されていないが、洗浄の広がりを調整するためのワイド洗浄入／切ボタン、洗浄位置前進ボタン、その後退ボタンが配設されている。また、洗浄強さを調整する強、弱ボタンからなる洗浄強さボタン、また人体の有無を検知する人体検知センサＳが本体１０の側部上面に配設されている。さらに図示しないが、後述する前記温水用発熱ヒータあるいは便座用発熱ヒータの付勢を選択可能とするスイッチボタンを人体局部洗浄装置に備えている。
【００３３】
便蓋８２と便座８１の回動部周辺には、便蓋８２と便座８１の同軸上となり、少なくとも便蓋８２と結合しているシャフト２０１には、駆動装置としての自動開閉装置２００が配設されている。この自動開閉装置２００は人の有無を検知して便蓋８２を開状態にしたり、閉状態に作動させる装置である。
【００３４】
図２に示すように、この自動開閉装置２００のシャフト２０１には、抵抗体２０４が配設されている。またこの抵抗体２０４と対向する位置に位置検知センサ２０２が配設されている。シャフト２０１の回転により、抵抗体２０４と位置検知センサ２０２が離間したり相対向したりする。
【００３５】
なお、図２は図１の自動開閉装置２００を概念的に表わした図であるが、この位置検知センサ２０２と抵抗体２０４は具体的には、図３のようにシャフト２０１の軸方向からみた図に示すように、ギヤＧに固定されたブラシＢが位置検知センサに相当するポテンション基板２０２の抵抗体２０４上をスライドすることにより、マイコンへの信号が閉位置で０Ｖから開位置で５Ｖまでリニアに変化する。この信号で便蓋の自動開閉動作をマイコンにて制御する。
【００３６】
つまり、出力軸になるシャフト２０１が人体の有無を検知して自動的に便蓋が開作動する。このとき、シャフト２０１が回動するため、位置検知センサ２０２と抵抗体２０４が離間するため、マイコンへの信号が０Ｖから５Ｖに変化する。
【００３７】
図４は便蓋の開閉を検知する位置検知センサ２０２、マイコンＭ、便座用発熱ヒータＨ１、温水用発熱ヒータＨ２のブロック図である。マイコンＭは人体局部洗浄装置のコントロール基板の中に配設されている。このブロック図より、便蓋位置検知センサ２０２が便蓋８３の開閉状態を検知し、便蓋位置検知センサ２０２からの信号がマイコンに取り込まれ、マイコンが出力するＯＮ・ＯＦＦ信号にて便蓋ヒータＨ１、温水ヒータＨ２をＯＮ・ＯＦＦする。
【００３８】
図５は駆動装置となるモータおよびギヤ等が収納された自動開閉装置２００が上ケース１０Ａに係合される前の破断分解斜視図を表わした図である。上ケース１０Ａは前面が段差状になっており、この上ケース１０Ａの段差部１０ＡＤの内部には、方形状の囲み部１０１が上ケース１０Ａと一体に形成されている。この囲み部１０１の面には複数の係合穴１０２、１０３が貫設されている。
【００３９】
一方、自動開閉装置２００には上記の係合穴１０２、１０３と係合可能な係合突起２０２、２０３が突設されている。係合突起２０２は図７に示すように、爪部２０２Ａと略Ｌ字状の弾性部材２０２Ｂから構成されている。（なお図７は図６のＡ−Ａ線断面図である。また図６は図５のＰ方向からみた断面図である。）この弾性部材２０２Ａは図７の左右方向に移動可能である。このため、前記の爪部２０２Ａと前記の係合穴１０２とは、弾性作用によりワンタッチで係合することができる。なお、図５の係合突起２０３と係合穴１０３との間も同様な作用をすることができる。
【００４０】
また自動開閉装置２００と囲み部１０１との間には、ポリウレタン樹脂材料や発砲ウレタン樹脂材料等からなる緩衝部材３００が介在される。この緩衝部材３００は予め自動開閉装置２００の表面に固着されている。このような構造からなる自動開閉装置２００を図５及び図７のＰ方向に組み付けると、自動開閉装置２００の係合突起２０２、２０３の爪部２０２Ａ、２０３Ａが係合穴１０２、１０３にワンタッチで挿入されて係合することできる。
【００４１】
なお組み付けられた自動開閉装置２００のシャフト２０１の大径シャフト２０１Ａには便座８１が止め付けられ、小径シャフト２０１には便蓋８２が止め付けられている。
【００４２】
上記の構造により、自動開閉装置に収納されているモータやギヤの回転音を装置本体の外へ出さない防音効果を有し、モータやギヤの振動を本体ケースに伝達しない防振効果を有し、使用者の便座に座った時に生じる衝撃荷重を吸収することができ、自動開閉装置をケースにワンタッチで組み付けることが可能である。
【００４３】
また、係合突起２０２、２０３の爪部２０２Ａ、２０３Ａと係合穴１０２、１０３との間に若干の隙間（約２ｍｍ）を持たせることにより、使用者が便座８１に座ることによる（シャフト２０１を介し）荷重をこの隙間で吸収でき、緩和作用がさらに大きくなり、係合突起２０２、２０３の破損や、自動開閉装置２００の破損の虞がなくなる。
【００４４】
また、上ケース１０Ａに自動開閉装置２００を配設することにより、上ケースに組み付けられているＬＥＤ、スイッチ、自動開閉制御回路等の（制御手段）が配設されたスイッチ基板ＳＷＢ等（図５）からの配線を短くすることができ、スイッチ基板ＳＷＢと下ケース１０Ｂ上に配設された本体制御基板との配線を最小限に抑えることができる。また配線固定用のテープを減少させることができる。
【００４５】
また上ケース１０Ａと下ケース１０Ｂとの間には自動開閉装置２００の配線が交差されないので、上ケース１０Ａと下ケース１０Ｂとの配線の噛みこみが防止できる。廉価
【００４６】
【発明の効果】
本発明は、以下の如く効果を有する。
【００４７】
即ち、本体ケースと、便座あるいは便蓋を回動自在に軸支するシャフトと、前記便座あるいは便蓋を開閉可能に駆動する駆動手段を収納した自動開閉装置とからなり、前記本体ケースあるいは前記自動開閉装置のどちらか一方には係合突起を設け、他方には前記係合突起と係合する係合穴が配設され、また前記本体ケースと前記自動開閉装置との間には緩衝手段が配設されていることを特徴とする便器装置であるので、自動開閉装置に収納されているモータやギヤの回転音を装置本体の外へ出さない防音効果を有し、モータやギヤの振動を本体ケースに伝達しない防振効果を有し、使用者の便座に座った時に生じる衝撃荷重を吸収することができ、自動開閉装置をケースにワンタッチで組み付けることが可能である。
【図面の簡単な説明】
【図１】本発明の人体局部洗浄装置の全体斜視図
【図２】本発明の自動開閉装置の斜視図
【図３】自動開閉装置の軸方向からみた図
【図４】本発明のブロック図
【図５】自動開閉装置を本体ケースに取り付ける前の破断分解斜視図
【図６】図５におけるＰ方向からみた断面図
【図７】図６のＡ−Ａ線断面図
【符号の説明】
１０…本体ケース
６１…洗浄ノズル
６２…洗浄ノズル
８１…便座
８２…便蓋
８３…便器
１０２、１０３…係合穴
２００…自動開閉装置
２０１…シャフト
２０２、２０３…係合突起
３００…緩衝手段。
【図１】
0004292594.tif 000002
【図２】
0004292594.tif 000003
【図３】
0004292594.tif 000004
【図４】
0004292594.tif 000005
【図５】
0004292594.tif 000006
【図６】
0004292594.tif 000007
【図７】
0004292594.tif 000008